(57)【要約】少なくとも１つの第２装置（２）と通信可能に接続された第１装置としての動作制御装置（１）、動作制御方法、及び再生装置において、主制御部（１１）は、通信部（１２）を介して第２装置動作情報を取得する処理、記憶部（１３）から過去の第２装置動作情報（Ｂ１）を取得する処理、取得された過去の第２装置動作情報（Ｂ１）のうちから、通信部（１２）を介して取得された現在の第２装置動作情報に最も類似度が高い過去の第２装置動作情報を選別する処理、及び、第１装置が現在行う動作を、選別された過去の第２装置動作情報に関連付けて記憶部（１３）に記憶されている過去の第１装置動作情報（Ａ１）に基づいて決定する処理を行う。
2015177944.tif 000002
【特許請求の範囲】
【請求項１】
少なくとも１つの第２装置と通信可能に接続された第１装置としての動作制御装置において、
前記第１装置が現在行う動作を示す第１装置動作情報を決定する動作決定部と、
前記第２装置が行う動作を示す第２装置動作情報を受信する通信部と、
情報を記憶する記憶部と、
前記動作決定部によって決定された前記第１装置動作情報と前記通信部によって受信された前記第２装置動作情報とを互いに関連付けて前記記憶部に記憶させる情報記録部と、
前記記憶部に記憶されている前記第１装置動作情報と前記第２装置動作情報とを、過去の第１装置動作情報と過去の第２装置動作情報として取得する情報取得部を有し、
前記動作決定部は、
前記通信部を介して受信された前記第２装置動作情報を、現在の第２装置動作情報として取得する処理、
前記情報取得部が前記記憶部から取得した前記過去の第２装置動作情報のうちから、前記現在の第２装置動作情報に最も類似度が高い過去の第２装置動作情報を選別する処理、及び
前記第１装置が現在行う動作を、前記選別された過去の第２装置動作情報に関連付けて前記記憶部に記憶されている前記過去の第１装置動作情報に基づいて決定する処理、を行う
ことを特徴とする動作制御装置。
【請求項２】
前記現在の第２装置動作情報に最も類似度が高い過去の第２装置動作情報を選別する前記処理は、予め定められた距離関数を用いて算出された、前記現在の第２装置動作情報と前記過去の第２装置動作情報との距離値のうちの、最小の距離値となる過去の第２装置動作情報を選別する処理であることを特徴とする請求項１に記載の動作制御装置。
【請求項３】
前記情報記録部は、前記第１装置動作情報と前記第２装置動作情報とを互いに関連付けて前記記憶部に記憶させる処理を、前記動作決定部が前記第１装置が現在行う動作を決定する処理を行うとき、及び、前記通信部が前記第２装置動作情報を受信するときのうちの少なくとも一方のときに行うことを特徴とする請求項１又は２に記載の動作制御装置。
【請求項４】
前記少なくとも１つの第２装置は、複数の第２装置であり、
前記動作決定部は、
前記通信部を介して受信された前記第２装置動作情報を、複数の現在の第２装置動作情報として取得する処理、
前記情報取得部が前記記憶部から取得した複数の過去の第２装置動作情報のうちから、前記複数の現在の第２装置動作情報に最も類似度が高い過去の第２装置動作情報を選別する処理、及び
前記第１装置が現在行う動作を、前記選別された過去の第２装置動作情報に関連付けて前記記憶部に記憶されている前記過去の第１装置動作情報に基づいて決定する処理、を行う
ことを特徴とする請求項１から３のいずれか１項に記載の動作制御装置。
【請求項５】
前記動作決定部は、前記情報取得部が前記記憶部から前記過去の第２装置動作情報及び前記過去の第１装置動作情報の少なくとも一方を取得できない場合に、前記第１装置の現在の動作を継続させることを特徴とする請求項１から４のいずれか１項に記載の動作制御装置。
【請求項６】
ユーザ指示の入力のために操作される操作入力部をさらに有し、
前記動作決定部は、前記操作入力部から入力された前記ユーザ指示に基づいて前記第１装置が現在行う動作を決定し、
前記情報記録部は、前記操作入力部の操作の内容を示すユーザ操作情報と、前記ユーザ指示に基づいて決定された動作を示す現在の第１装置動作情報と、前記通信部によって受信された現在の第２装置動作情報とを関連付けて前記記憶部に記憶させる
ことを特徴とする請求項１から５のいずれか１項に記載の動作制御装置。
【請求項７】
前記動作決定部は、前記第１装置が現在行う動作を、前記選別された過去の第２装置動作情報に関連付けて前記記憶部に記憶されている前記過去の第１装置動作情報と前記ユーザ操作情報とに基づいて決定する
ことを特徴とする請求項６に記載の動作制御装置。
【請求項８】
前記情報記録部は、前記操作入力部を操作したユーザを識別するユーザ識別情報を、前記第１装置動作情報及び前記第２装置動作情報と関連付けて前記記憶部に記憶させ、
前記動作決定部は、前記第１装置が現在行う動作を、前記選別された過去の第２装置動作情報に関連付けて前記記憶部に記憶されている前記過去の第１装置動作情報と前記ユーザ識別情報とに基づいて決定する
ことを特徴とする請求項６に記載の動作制御装置。
【請求項９】
現在の時刻を示す時刻情報を提供する時刻提供部をさらに有し、
前記情報記録部は、前記時刻提供部によって提供された時刻情報を、前記第１装置動作情報及び前記第２装置動作情報と関連付けて前記記憶部に記憶させ、
前記動作決定部は、前記第１装置が現在行う動作を、前記選別された過去の第２装置動作情報に関連付けて前記記憶部に記憶されている前記過去の第１装置動作情報と前記時刻提供部とに基づいて決定する
ことを特徴とする請求項６に記載の動作制御装置。
【請求項１０】
音声を出力する出力部をさらに有し、
前記第１装置動作情報は、前記出力部から出力される音声の音量レベルに関する情報を含み、
前記動作決定部が決定する動作は、前記音量レベルの決定を含む
ことを特徴とする請求項１から９のいずれか１項に記載の動作制御装置。
【請求項１１】
第１装置と少なくとも１つの第２装置とに通信可能に接続され、前記第１装置の動作を制御する動作制御装置において、
前記第１装置が現在行う動作を示す第１装置動作情報である現在の第１装置動作情報を決定する動作決定部と、
前記第１装置が行う動作を示す第１装置動作情報と前記第２装置が行う動作を示す第２装置動作情報とを受信する通信部と、
情報を記憶する記憶部と、
前記通信部によって受信された前記第１装置動作情報と前記第２装置動作情報とを互いに関連付けて前記記憶部に記憶させる情報記録部と、
前記記憶部に記憶されている前記第１装置動作情報と前記第２装置動作情報とを、過去の第１装置動作情報と過去の第２装置動作情報として取得する情報取得部と
を有し、
前記動作決定部は、
前記通信部を介して受信された前記第２装置動作情報を、現在の第２装置動作情報として取得する処理、
前記情報取得部が前記記憶部から取得した前記過去の第２装置動作情報のうちから、前記現在の第２装置動作情報に最も類似度が高い過去の第２装置動作情報を選別する処理、及び
前記第１装置の動作を、前記選別された過去の第２装置動作情報に関連付けて前記記憶部に記憶されている前記過去の第１装置動作情報に基づいて設定するための指令信号を、前記通信部を介して前記第１装置に送信する処理、を行う
ことを特徴とする動作制御装置。
【請求項１２】
通信部を介して少なくとも１つの第２装置と通信可能に接続された第１装置が行う動作制御方法であって、
前記通信部を介して受信された前記第２装置動作情報を、現在の第２装置動作情報として取得するステップと、
前記第１装置が行った動作を示す過去の第１装置動作情報と前記第２装置が行った動作を示す過去の第２装置動作情報とを互いに関連付けて記憶する記憶部から、前記過去の第２装置動作情報を取得するステップと、
前記記憶部から取得した前記過去の第２装置動作情報のうちから、前記通信部を介して取得された前記現在の第２装置動作情報に最も類似度が高い過去の第２装置動作情報を選別するステップと、
現在の第１装置動作情報を、前記選別された過去の第２装置動作情報に関連付けて前記記憶部に記憶されている前記過去の第１装置動作情報に基づいて設定することによって、前記第１装置が現在行う動作を設定するステップと
を有することを特徴とする動作制御方法。
【請求項１３】
通信部を介して第１装置と少なくとも１つの第２装置とに通信可能に接続された動作制御装置が行う動作制御方法であって、
前記通信部を介して受信された前記第２装置動作情報を、現在の第２装置動作情報として取得するステップと、
前記第１装置が行った動作を示す過去の第１装置動作情報と前記第２装置が行った動作を示す過去の第２装置動作情報とを互いに関連付けて記憶する記憶部から、前記過去の第２装置動作情報を取得するステップと、
前記記憶部から取得した前記過去の第２装置動作情報のうちから、前記通信部を介して取得された前記現在の第２装置動作情報に最も類似度が高い過去の第２装置動作情報を選別するステップと、
前記第１装置の動作を、前記選別された過去の第２装置動作情報に関連付けて前記記憶部に記憶されている前記過去の第１装置動作情報に基づいて設定するための指令信号を、前記通信部を介して前記第１装置に送信するステップと
を有することを特徴とする動作制御方法。
【請求項１４】
少なくとも１つの第２装置と通信可能に接続された第１装置としての再生装置において、
前記第１装置が現在行う動作を示す第１装置動作情報を決定する動作決定部と、
前記動作決定部によって決定された前記第１装置動作情報に基づく再生信号を出力する映像音声出力部と、
前記第２装置が行う動作を示す第２装置動作情報を受信する通信部と、
情報を記憶する記憶部と、
前記動作決定部によって決定された前記第１装置動作情報と前記通信部によって受信された前記第２装置動作情報とを互いに関連付けて前記記憶部に記憶させる情報記録部と、
前記記憶部に記憶されている前記第１装置動作情報と前記第２装置動作情報とを、過去の第１装置動作情報と過去の第２装置動作情報として取得する情報取得部と、
を有し、
前記動作決定部は、
前記通信部を介して受信された前記第２装置動作情報を、現在の第２装置動作情報として取得する処理、
前記情報取得部が前記記憶部から取得した前記過去の第２装置動作情報のうちから、前記現在の第２装置動作情報に最も類似度が高い過去の第２装置動作情報を選別する処理、及び
前記第１装置が現在行う動作を、前記選別された過去の第２装置動作情報に関連付けて前記記憶部に記憶されている前記過去の第１装置動作情報に基づいて決定する処理、を行う
ことを特徴とする再生装置。
【発明の詳細な説明】
【技術分野】
【０００１】
本発明は、第１装置の動作を、通信可能に接続された第２装置の現在及び過去の第２装置動作情報と第１装置の過去の第１装置動作情報とに基づいて設定することができる動作制御装置、動作制御方法、及び再生装置に関する。
【背景技術】
【０００２】
近年、テレビ、冷蔵庫、洗濯機、エアコン、炊飯器、電子レンジなどのような様々な種類の家電製品（電子機器）が、住宅内で使用されている。家電製品の動作をユーザに知らせる手段としては、画面表示、インジケーターランプ、電子ブザー音に加えて、人工的に合成された音声がある。このため、複数の家電製品から発せられる音声同士が、互いに干渉する場合がある。例えば、リビングに置かれているテレビから発せられる音声と台所に置かれている調理機器から発せられる調理終了を知らせる音声とが互いに干渉して、テレビの音声が聞き取り難いことがある。また、エアコン、扇風機、換気扇のファンから発せられる風切音、食器洗浄機から発せられる水跳ね音、冷蔵庫のコンプレッサーモータから発せられるモータ音などのような家電製品の動作音によって、テレビの音声が聞き取り難いことがある。【０００３】
また、家電製品用のマイコンは、自装置（第１装置）である家電製品の制御を行うだけでなく、他装置（第２装置）である家電製品との間の通信機能を実現することができる。このような通信機能を利用して、第１装置の動作を、第２装置の動作に連携させて制御するシステム、例えば、住宅用のエネルギー管理システムであるＨＥＭＳ（Ｈｏｍｅ  Ｅｎｅｒｇｙ  Ｍａｎａｇｅｍｅｎｔ  Ｓｙｓｔｅｍ）が提案されている。【０００４】
さらに、隣接して設置される第１装置と第２装置とから発せられる音声同士が干渉しないようにするために、第１装置のみが稼動しているときには第１装置について通常の音量制御を行い、第１装置及び第２装置の両方が稼動しているときには、第１装置と第２装置の音量を予め決められた低い音量（非干渉音量）に設定するシステムの提案がある（例えば、特許文献１参照）。
【先行技術文献】
【特許文献】
【０００５】
【特許文献１】特開２０１０−７４６５１号公報（例えば、段落０１１８〜０１３２及び図９）
【発明の開示】
【発明が解決しようとする課題】
【０００６】
しかしながら、上記従来のシステムにおいては、第１装置の稼働中に第２装置の稼働を開始させると、第１装置の音量が、第２装置の稼働前の第１装置の音量と無関係に、予め決められた低い音量（非干渉音量）に変更する制御を行うので、第１装置から発せられる音声の音量がユーザにとって低くなり過ぎ、音声が聞き取り難くなることがあるという問題がある。【０００７】
そこで、本発明は、上記従来技術の課題を解決するためになされたものであり、その目的は、第１装置の動作を、通信可能に接続された第２装置の現在及び過去の第２装置動作情報と第１装置の過去の第１装置動作情報とに基づいて適切に設定することができる動作制御装置、動作制御方法、及び再生装置を提供することにある。
【課題を解決するための手段】
【０００８】
本発明の一態様に係る動作制御装置は、少なくとも１つの第２装置と通信可能に接続された第１装置としての動作制御装置であって、前記第１装置が現在行う動作を示す第１装置動作情報を決定する動作決定部と、前記第２装置が行う動作を示す第２装置動作情報を受信する通信部と、情報を記憶する記憶部と、前記動作決定部によって決定された前記第１装置動作情報と前記通信部によって受信された前記第２装置動作情報とを互いに関連付けて前記記憶部に記憶させる情報記録部と、前記記憶部に記憶されている前記第１装置動作情報と前記第２装置動作情報とを、過去の第１装置動作情報と過去の第２装置動作情報として取得する情報取得部を有し、前記動作決定部は、前記通信部を介して受信された前記第２装置動作情報を、現在の第２装置動作情報として取得する処理、前記情報取得部が前記記憶部から取得した前記過去の第２装置動作情報のうちから、前記現在の第２装置動作情報に最も類似度が高い過去の第２装置動作情報を選別する処理、及び前記第１装置が現在行う動作を、前記選別された過去の第２装置動作情報に関連付けて前記記憶部に記憶されている前記過去の第１装置動作情報に基づいて決定する処理を行うことを特徴とする。【０００９】
本発明の他の態様に係る動作制御装置は、第１装置と少なくとも１つの第２装置とに通信可能に接続され、前記第１装置の動作を制御する動作制御装置であって、前記第１装置が現在行う動作を示す第１装置動作情報である現在の第１装置動作情報を決定する動作決定部と、前記第１装置が行う動作を示す第１装置動作情報と前記第２装置が行う動作を示す第２装置動作情報とを受信する通信部と、情報を記憶する記憶部と、前記通信部によって受信された前記第１装置動作情報と前記第２装置動作情報とを互いに関連付けて前記記憶部に記憶させる情報記録部と、前記記憶部に記憶されている前記第１装置動作情報と前記第２装置動作情報とを、過去の第１装置動作情報と過去の第２装置動作情報として取得する情報取得部とを有し、前記動作決定部は、前記通信部を介して受信された前記第２装置動作情報を、現在の第２装置動作情報として取得する処理、前記情報取得部が前記記憶部から取得した前記過去の第２装置動作情報のうちから、前記現在の第２装置動作情報に最も類似度が高い過去の第２装置動作情報を選別する処理、及び前記第１装置の動作を、前記選別された過去の第２装置動作情報に関連付けて前記記憶部に記憶されている前記過去の第１装置動作情報に基づいて設定するための指令信号を、前記通信部を介して前記第１装置に送信する処理を行うことを特徴とする。【００１０】
本発明の他の態様に係る動作制御方法は、通信部を介して少なくとも１つの第２装置と通信可能に接続された第１装置が行う動作制御方法であって、前記通信部を介して受信された前記第２装置動作情報を、現在の第２装置動作情報として取得するステップと、前記第１装置が行った動作を示す過去の第１装置動作情報と前記第２装置が行った動作を示す過去の第２装置動作情報とを互いに関連付けて記憶する記憶部から、前記過去の第２装置動作情報を取得するステップと、前記記憶部から取得した前記過去の第２装置動作情報のうちから、前記通信部を介して取得された前記現在の第２装置動作情報に最も類似度が高い過去の第２装置動作情報を選別するステップと、現在の第１装置動作情報を、前記選別された過去の第２装置動作情報に関連付けて前記記憶部に記憶されている前記過去の第１装置動作情報に基づいて設定することによって、前記第１装置が現在行う動作を設定するステップとを有することを特徴とする。【００１１】
本発明の他の態様に係る再生装置は、少なくとも１つの第２装置と通信可能に接続された第１装置としての再生装置において、前記第１装置が現在行う動作を示す第１装置動作情報を決定する動作決定部と、前記動作決定部によって決定された前記第１装置動作情報に基づく再生信号を出力する映像音声出力部と、前記第２装置が行う動作を示す第２装置動作情報を受信する通信部と、情報を記憶する記憶部と、前記動作決定部によって決定された前記第１装置動作情報と前記通信部によって受信された前記第２装置動作情報とを互いに関連付けて前記記憶部に記憶させる情報記録部と、前記記憶部に記憶されている前記第１装置動作情報と前記第２装置動作情報とを、過去の第１装置動作情報と過去の第２装置動作情報として取得する情報取得部とを有し、前記動作決定部は、前記通信部を介して受信された前記第２装置動作情報を、現在の第２装置動作情報として取得する処理、前記情報取得部が前記記憶部から取得した前記過去の第２装置動作情報のうちから、前記現在の第２装置動作情報に最も類似度が高い過去の第２装置動作情報を選別する処理、及び前記第１装置が現在行う動作を、前記選別された過去の第２装置動作情報に関連付けて前記記憶部に記憶されている前記過去の第１装置動作情報に基づいて決定する処理を行うことを特徴とする。
【発明の効果】
【００１２】
本発明に係る動作制御装置及び動作制御方法によれば、通信部を介して取得した現在の第２装置動作情報に最も類似度が高い過去の第２装置動作情報を記憶部に記憶されている過去の第２装置動作情報の中から選別し、選別された過去の第２装置動作情報に関連付けて記憶されている過去の第１装置動作情報に基づいて、第１装置が現在行う動作を設定するので、第１装置の動作を適切に設定することができるという効果を得ることができる。【００１３】
本発明に係る再生装置によれば、通信部を介して取得した現在の第２装置動作情報に最も類似度が高い過去の第２装置動作情報を記憶部に記憶されている過去の第２装置動作情報の中から選別し、選別された過去の第２装置動作情報に関連付けて記憶されている過去の第１装置動作情報に基づいて、第１装置が現在行う動作を設定するので、第１装置の動作を適切に設定することができるという効果を得ることができる。
【図面の簡単な説明】
【００１４】
【図１】本発明の実施の形態１に係る動作制御装置（第１装置、自装置）を含む制御システムを概略的に示すシステム構成図である。
【図２】図１に示される動作制御装置（第１装置）の構成を概略的に示すブロック図である。
【図３】図１に示される第２装置（他装置）の構成を概略的に示すブロック図である。
【図４】図２に示される動作制御装置の記憶部に記憶される動作情報の一例を示す図である。
【図５】図１に示される制御システムの動作の一例を概略的に示すシーケンス図である。
【図６】実施の形態１に係る動作制御装置の主制御部が行う第１装置動作情報を算出するときの処理を示すフローチャートである。
【図７】本発明の実施の形態２に係る動作制御装置を含む制御システムを概略的に示すシステム構成図である。
【図８】図７に示される動作制御装置の構成を概略的に示すブロック図である。
【図９】図７に示される制御システムの動作の一例を概略的に示すシーケンス図である。
【図１０】本発明の実施の形態３に係る再生装置である第１テレビ（第１装置、自装置）を含む制御システムを概略的に示すシステム構成図である。
【図１１】図１０に示される再生装置の構成を簡略化して示すブロック図である。
【図１２】図１１に示される再生装置の構成を示すブロック図である。
【図１３】図１１に示される再生装置の記憶部に記憶される動作情報の一例を示す図である。
【図１４】実施の形態３に係る再生装置が行う起動時の処理を概略的に示すフローチャートである。
【図１５】実施の形態３に係る再生装置の主制御部が行う第１装置動作情報を算出するときの処理を示すフローチャートである。
【図１６】実施の形態３に係る再生装置が図１５に示す第１装置動作情報の算出処理に至る過程の処理を示すフローチャートである。
【図１７】図１０に示される制御システムの動作の一例を概略的に示すシーケンス図である。
【発明を実施するための形態】
【００１５】
実施の形態１．
図１は、本発明の実施の形態１に係る動作制御装置（第１装置、自装置）１を含む制御システムを概略的に示すシステム構成図である。図１に示される動作制御装置１は、実施の形態１に係る動作制御方法を実施することができる装置である。図１に示されるように、実施の形態１に係る動作制御装置１は、第２装置（他装置）２と通信ネットワーク３を介して通信可能に接続されている。動作制御装置１及び第２装置２は、例えば、家電製品（家庭用電子機器）であり、通信ネットワーク３は、例えば、有線又は無線の家庭内ネットワークである。図１には、動作制御装置１と通信可能に接続されている第２装置が１台だけ示されているが、第２装置の数は２台以上であってもよい。また、第１装置及び第２装置は、例えば、映像音声機器（テレビ、ラジオ、オーディオ機器、ビデオレコーダ等、光ディスクプレーヤなど）、台所用機器（冷蔵庫、炊飯器、電子レンジ、食器洗浄機、換気扇など）、生活用機器（洗濯機、エアコン、空気清浄機、扇風機、掃除機など）、及び室内照明機器などである。
【００１６】
図２は、図１に示される動作制御装置（第１装置）１の構成を概略的に示すブロック図である。図２に示されるように、動作制御装置１は、装置全体の動作を制御する主制御部１１と、通信部１２と、情報を記憶する記憶部１３とを有する。主制御部１１は、動作決定部１１１と、情報記録部１１２と、情報取得部１１３とを有する。通信部１２は、通信ネットワーク３を介して、通信ネットワーク３に接続された装置、例えば、第２装置２と、通信を行う。また、動作制御装置１は、映像又は音声を出力する出力部１４を有してもよい。映像又は音声を出力する出力部１４は、例えば、映像を表示する表示部と音声を出力するスピーカなどの音声出力部とを有してもよい。また、出力部１４は、映像信号又は音声信号を出力する回路であってもよい。また、動作制御装置１は、ユーザ指示の入力に使用される操作入力部１５を有してもよい。操作入力部１５は、例えば、操作ボタン、リモコン及びその受信部、キーボード、マウス、タッチパネルなどから構成される。
【００１７】
動作決定部１１１は、動作制御装置１が現在行う動作を示す第１装置動作情報である現在の第１装置動作情報を決定する処理を行う。
【００１８】
情報記録部１１２は、動作決定部１１１によって決定された現在の第１装置動作情報Ａ０と、そのときに通信部１２によって受信された現在の第２装置動作情報Ｂ０とを互いに関連付けて記憶部１３に記憶させる処理、又は、現在の第１装置動作情報Ａ０と現在の第２装置動作情報Ｂ０とを互いに関連付けた情報によって、記憶部１３に記憶されている情報を更新する処理を行う。
【００１９】
情報取得部１１３は、記憶部１３に記憶されている過去の第１装置動作情報Ａ１と過去の第２装置動作情報Ｂ１とを取得する処理を行う。なお、情報記録部１１２によって記憶部１３に記憶された現在の第１装置動作情報Ａ０と現在の第２装置動作情報Ｂ０は、時間経過によって過去の動作情報となっているので、情報取得部１１３によって読み出される時点においては、過去の第１装置動作情報Ａ１と過去の第２装置動作情報Ｂ１と言う。
【００２０】
動作決定部１１１は、通信部１２を介して現在の第２装置動作情報Ｂ０を取得する処理と、情報取得部１１３が記憶部１３から過去の第２装置動作情報Ｂ１を取得する処理とを行う。その後、動作決定部１１１は、情報取得部１１３が記憶部１３から取得した過去の第２装置動作情報Ｂ１のうちから、通信部１２を介して取得された現在の第２装置動作情報Ｂ０に最も類似度が高い過去の第２装置動作情報Ｂ１ａを選別する処理と、動作制御装置（第１装置）１の現在の動作を、選別された過去の第２装置動作情報Ｂ１ａに関連付けて記憶部１３に記憶されている過去の第１装置動作情報Ａ１ａに基づいて設定することによって、設定する処理を行う。
【００２１】
図３は、図１に示される第２装置（他装置）２の構成を概略的に示すブロック図である。図３に示されるように、第２装置２は、装置全体の動作を制御する主制御部２１と、通信ネットワーク３を介して通信を行う通信部２２と、情報を記憶する記憶部２３と、映像信号又は音声信号などの信号を出力する出力部２４と、ユーザ指示の入力に使用される操作入力部２５とを有する。なお、第２装置２の構成は、図３の例に限定されず、現在の第２装置動作情報Ｂ０、例えば、第２装置２の電源入情報又は電源切情報、或いは、出力部２４から出力される音量レベルなど、を動作制御装置１に通知することができる装置であれば、他の構成であってもよい。
【００２２】
図４は、図２に示される動作制御装置１の記憶部１３に記憶される動作情報の一例を示す図である。図４に示されるように、記憶部１３は、過去の第１装置動作情報Ａ１と過去の第２装置動作情報Ｂ１とを互いに関連づけて記憶している。図４の例では、同じ行の動作情報が、互いに関連付けられた情報である。また、出力レベルは、例えば、音量レベルであり、出力レベルＬ２，Ｌ３，Ｌ４の順に出力レベルは大きくなり、出力レベルＭ１，Ｍ２，Ｍ３，Ｍ４の順に出力レベルは大きくなる。なお、図４の例は、一例に過ぎず、記憶部１３に記憶される情報は他の動作情報であってもよい。
【００２３】
図５は、図１に示される制御システムの動作の一例を概略的に示すシーケンス図である。図５において、動作制御装置１に電源入のユーザ指示を入力すると（時刻ｔ１）、動作制御装置１は、例えば、前回起動時の出力レベルＬ２を初期値として起動する。初期値は、ユーザ指示によって設定された値であってもよい。
【００２４】
次に、動作制御装置１は、第２装置２の電源が入（オン）になり、第２装置２から第２装置動作情報Ｂ０を受信すると（時刻ｔ２）、動作決定部１１１による動作の設定の処理を行う。例えば、現在の第２装置動作情報Ｂ０が「電源入、出力レベルＭ３」であるならば、動作制御装置１の動作決定部１１１は、記憶部１３に記憶されている動作情報のうちの現在の第２装置動作情報Ｂ０が「電源入、出力レベルＭ３」に最も類似度が高い過去の第２装置動作情報Ｂ１を選別する。図４の例においては、現在の第２装置動作情報Ｂ０に最も類似度が高い情報は、符号１３ａで示す同じ内容の情報、すなわち、過去の第２装置動作情報Ｂ１が「電源入、出力レベルＭ３」である。したがって、動作制御装置１の動作決定部１１１は、図４において符号１３ａで示される過去の第２装置動作情報Ｂ１ａを選別し、この選別された情報に関連付けられている過去の第１装置動作情報Ａ１ａである「出力レベルＬ３」を取得し、動作制御装置１の動作を出力レベルＬ３に変更する。なお、現在の第２装置動作情報Ｂ０に最も類似度が高い過去の第２装置動作情報Ｂ１は、現在の第２装置動作情報Ｂ０と過去の第２装置動作情報Ｂ１との距離値を、予め設定された距離関数を用いて算出し、算出された距離値が最小の過去の第２装置動作情報とすることができる。距離関数の具体例は、後述の実施の形態３で説明する。
【００２５】
次に、動作制御装置１は、ユーザ指示にしたがって、出力レベルをＬ３からＬ４に変更する（時刻ｔ３）。
【００２６】
その後、動作制御装置１は、第２装置２の電源が切（オフ）になり、第２装置２から第２装置動作情報Ｂ０を受信すると（時刻ｔ４）、動作決定部１１１による動作の設定の処理を行う。例えば、現在の第２装置動作情報Ｂ０が「電源切」であるならば、動作制御装置１の動作決定部１１１は、記憶部１３に記憶されている動作情報のうちの現在の第２装置動作情報Ｂ０が「電源切」に最も類似度が高い過去の第２装置動作情報Ｂ１を選別する。図４の例においては、現在の第２装置動作情報Ｂ０に最も類似度が高い情報は、符号１３ｂで示す同じ内容の情報、すなわち、過去の第２装置動作情報Ｂ１が「電源切」である。したがって、動作制御装置１の動作決定部１１１は、符号１３ｂで示される過去の第２装置動作情報Ｂ１を選別し、この選別された情報に関連付けられている過去の第１装置動作情報Ａ１である「出力レベルＬ２」を取得し、動作制御装置１の動作を出力レベルＬ２に変更する。
【００２７】
図６は、実施の形態１に係る動作制御装置１の動作の設定のための処理を概略的に示すフローチャートである。図６において、動作制御装置１が動作設定処理を開始すると（ステップＳ１１）、動作制御装置１は、第２装置２が現在行う動作を示す現在の第２装置動作情報Ｂ０があるかどうかを確認する（ステップＳ１２）。動作制御装置１は、第２装置２から現在の第２装置動作情報の更新の通知がない場合、又は、通信可能な第２装置２の現在の第２装置動作情報Ｂ０を取得した場合（ステップＳ１３）には、記憶部１３から過去の第２装置動作情報Ｂ１を取得可能かどうかを判定する（ステップＳ１４）。
【００２８】
動作制御装置１は、ステップＳ１４において、過去の第２装置動作情報Ｂ１を記憶部１３から取得可能である場合には、少なくとも１つの過去の第２装置動作情報Ｂ１を取得し（ステップＳ１５）、その中から現在の第２装置動作情報Ｂ０に最も類似度が高い過去の第２装置動作情報Ｂ１ａを選別し（ステップＳ１６）、記憶部１３から、選別された過去の第２装置動作情報Ｂ１ａに関連付けられた過去の第１装置動作情報Ａ１ａを取得する（ステップＳ１７）。なお、現在の第２装置動作情報Ｂ０と同一の過去の第２装置動作情報Ｂ１が無い場合における類似度の算出方法の例は、後述する実施の形態３で説明する。
【００２９】
次に、動作制御装置１は、選別された過去の第１装置動作情報Ａ１ａに基づいて、動作制御装置１が現在行う動作を設定する（ステップＳ１８）。また、ステップＳ１４において過去の第２装置動作情報Ｂ１を記憶部１３から取得可能でないときにも、動作制御装置１は、過去の第１装置動作情報Ａ１ａに基づいて、動作制御装置１が現在行う動作を設定する（ステップＳ１８）。
【００３０】
次に、動作制御装置１は、現在の第２装置動作情報Ｂ０と、現在の第１装置動作情報Ａ０とを、記憶部１３に記憶させる（ステップＳ１９）。
【００３１】
以上に説明したように、実施の形態１に係る動作制御装置１及び動作制御方法によれば、通信部１２を介して取得した現在の第２装置動作情報Ｂ０に最も類似度が高い過去の第２装置動作情報Ｂ１ａを記憶部１３に記憶されている過去の第２装置動作情報Ｂ１の中から選別し、選別された過去の第２装置動作情報Ｂ１ａに関連付けて記憶されている過去の第１装置動作情報Ａ１ａに基づいて、動作制御装置１が現在行う動作を設定するので、動作制御装置１の動作を適切に設定することができる。
【００３２】
実施の形態２．
図７は、本発明の実施の形態２に係る動作制御装置５を含む制御システムを概略的に示すシステム構成図である。図７に示される動作制御装置５は、実施の形態２に係る動作制御方法を実施することができる装置である。図７において、図１に示される構成要素と同一又は対応する構成要素には、図１に示される符号と同じ符号を付す。実施の形態１（図１）においては、制御対象である第１装置が動作制御装置１としての機能を備えていたが、実施の形態２（図７）においては、制御対象である第１装置４と動作制御装置５とが通信ネットワーク３を介して互いに通信可能な別個の装置である。他の点については、実施の形態２は、実施の形態１と同じである。第１装置４及び第２装置２は、例えば、家電製品（家庭用電子機器）である。
【００３３】
図８は、図７に示される動作制御装置５の構成を概略的に示すブロック図である。図８に示されるように、動作制御装置５は、装置全体の動作を制御する主制御部５１と、通信部５２と、情報を記憶する記憶部５３とを有する。主制御部５１は、動作決定部５１１と、情報記録部５１２と、情報取得部５１３とを有する。通信部５２は、通信ネットワーク３を介して、通信ネットワーク３に接続された第１装置４及び第２装置２と通信を行う。なお、動作制御装置５は、例えば、映像信号又は音声信号などの信号を出力する出力部５４と、ユーザ指示の入力に使用される操作入力部５５とを有してもよい。
【００３４】
動作制御装置５の動作決定部５１１は、第１装置４が現在行う動作を示す第１装置動作情報である現在の第１装置動作情報を決定する処理を行う。動作制御装置５の情報記録部５１２は、動作決定部５１１によって決定された現在の第１装置動作情報Ａ０と、そのとき通信部５２によって受信された現在の第２装置動作情報Ｂ０とを互いに関連付けて記憶部５３に記憶させる処理又は記憶部５３に記憶されている情報を更新する処理を行う。動作制御装置５の情報取得部５１３は、記憶部５３に記憶されている過去の第１装置動作情報Ａ１と過去の第２装置動作情報Ｂ１とを取得する処理を行う。なお、記憶部１３に記憶された現在の第１装置動作情報Ａ０と現在の第２装置動作情報Ｂ０は、時間が経過すると過去の情報となっているので、読み出される時点においては、過去の第１装置動作情報Ａ１と過去の第２装置動作情報Ｂ１と言う。
【００３５】
動作制御装置５の動作決定部５１１は、通信部５２を介して第２装置動作情報を現在の第２装置動作情報Ｂ０として取得する処理、情報取得部５１３が記憶部５３から第２装置動作情報を過去の第２装置動作情報Ｂ１として取得する処理、情報取得部５１３が記憶部５３から取得した過去の第２装置動作情報Ｂ１のうちから、通信部５２を介して取得された現在の第２装置動作情報Ｂ０に最も類似度が高い過去の第２装置動作情報Ｂ１ａを選別する処理、及び現在の第１装置動作情報を選別された過去の第２装置動作情報に関連付けて記憶部５３に記憶されている第１装置動作情報である過去の第１装置動作情報Ａ１に基づいて設定し、第１装置４に指示信号を送ることによって、第１装置４が現在行う動作を設定する処理を行う。
【００３６】
図７に示される第１装置４は、図３に示される第２装置２と同様の構成を有する。第１装置４は、動作制御装置５からの指示信号にしたがって、現在の動作を設定する。
【００３７】
図９は、図７に示される制御システムの動作の一例を概略的に示すシーケンス図である。図９において、制御対象である第１装置４に電源入のユーザ指示を入力すると（時刻ｔ１１）、第１装置４は、前回起動時の出力レベルＬ２を初期値として起動する。動作制御装置５は、第１装置４の電源が入（オン）になり、第１装置４から第１装置動作情報Ａ１０を受信する。
【００３８】
次に、動作制御装置５は、第２装置２の電源が入（オン）になり、第２装置２から第２装置動作情報Ｂ０を受信すると（時刻ｔ１２）、動作決定部５１１による動作の設定の処理を行う。例えば、現在の第２装置動作情報Ｂ０が「電源入、出力レベルＭ３」であるならば、動作制御装置５の動作決定部５１１は、記憶部５３に記憶されている動作情報のうちの現在の第２装置動作情報Ｂ０が「電源入、出力レベルＭ３」に最も類似度が高い過去の第２装置動作情報Ｂ１を選別する。図４の例においては、現在の第２装置動作情報Ｂ０に最も類似度が高い情報は、符号１３ａで示す同じ内容の情報、すなわち、過去の第２装置動作情報Ｂ１が「電源入、出力レベルＭ３」である。したがって、動作制御装置５の動作決定部５１１は、符号１３ａで示される過去の第２装置動作情報Ｂ１を選別し、この選別された情報に関連付けられている過去の第１装置動作情報Ａ１である「出力レベルＬ３」を取得し、第１装置４の動作を出力レベルＬ３に変更する。
【００３９】
次に、第１装置４は、ユーザ指示にしたがって、出力レベルをＬ３からＬ４に変更する（時刻ｔ１３）。
【００４０】
その後、動作制御装置５は、第２装置２の電源が切（オフ）になり、第２装置２から第２装置動作情報Ｂ０を受信すると（時刻ｔ１４）、動作決定部５１１による第１装置４の動作の設定の処理を行う。例えば、現在の第２装置動作情報Ｂ０が「電源切」であるならば、動作制御装置５の動作決定部５１１は、記憶部５３に記憶されている動作情報のうちの現在の第２装置動作情報Ｂ０が「電源切」に最も類似度が高い過去の第２装置動作情報Ｂ１を選別する。図４の例においては、現在の第２装置動作情報Ｂ０に最も類似度が高い情報は、符号１３ｂで示す同じ内容の情報、すなわち、過去の第２装置動作情報Ｂ１が「電源切」である。したがって、動作制御装置５の動作決定部５１１は、符号１３ｂで示される過去の第２装置動作情報Ｂ１を選別し、この選別された情報に関連付けられている過去の第１装置動作情報Ａ１である「出力レベルＬ２」を取得し、第１装置４の動作を出力レベルＬ２に変更することを指示する指示信号を送信する。
【００４１】
以上に説明したように、実施の形態２に係る動作制御装置５及び動作制御方法によれば、通信部５２を介して取得した現在の第２装置動作情報Ｂ０に最も類似度が高い過去の第２装置動作情報Ｂ１ａを記憶部５３に記憶されている過去の第２装置動作情報Ｂ１の中から選別し、選別された過去の第２装置動作情報Ｂ１ａに関連付けて記憶されている過去の第１装置動作情報Ａ１ａに基づいて、第１装置４が現在行う動作を設定するので、第１装置４の動作を適切に設定することができる。
【００４２】
実施の形態３．
図１０は、本発明の実施の形態３に係る再生装置６としての第１テレビ（第１装置、自装置）を含む制御システムを概略的に示すシステム構成図である。図１０に示される再生装置６は、再生装置６自身の動作を制御する動作制御装置としての機能を有している。また、図１０に示される再生装置６は、実施の形態３に係る再生方法を実施することができる装置である。実施の形態３は、実施の形態１に係る動作制御装置１を、映像信号又は音声信号を再生する再生装置６に適用した具体例である。図１０に示されるように、実施の形態３に係る再生装置６は、住宅のリビング内に設置されており、第２装置（他装置）としての第２テレビ７及び換気扇８は、同じ住宅の台所内に設置されている。再生装置６と、第２テレビ７と、換気扇８とは、通信ネットワーク３を介して、再生装置６と通信可能に接続されている。再生装置６は、第２テレビ７から現在の第２装置動作情報Ｂ０１を取得し、換気扇８から現在の第２装置動作情報Ｂ０２を取得する。図１０には、再生装置６と通信可能に接続されている２台の第２装置が示されているが、第２装置の数は１台又は３台以上であってもよい。
【００４３】
図１１は、図１０に示される再生装置（第１テレビ）６の構成を概略的に示すブロック図である。図１０に示されるように、再生装置６は、装置全体の動作を制御する主制御部６１と、通信部６２と、情報を記憶する記憶部６３とを有する。主制御部６１は、動作決定部６１１と、情報記録部６１２と、情報取得部６１３とを有する。通信部６２は、通信ネットワーク３を介して、通信ネットワーク３に接続された第２テレビ７及び換気扇８と通信を行う。なお、再生装置６は、例えば、映像又は音声などを出力する映像音声出力部６４と、ユーザ指示の入力のために操作される操作入力部６５とを有してもよい。また、再生装置６は、放送信号又は外部信号などが入力される信号入力部６６と、現在の時刻情報を提供する時刻提供部６７とを有している。現在の時刻情報は、時刻情報に限らず、年月日情報、及び曜日情報を含んでもよい。
【００４４】
動作決定部６１１は、再生装置６が現在行う動作を示す現在の第１装置動作情報Ａ０を決定する処理を行う。現在の第１装置動作情報Ａ０が音量レベルを含む場合には、動作決定部６１１は、再生装置６が現在行う動作を示す現在の第１装置動作情報Ａ０である音量レベルを算出する処理を行う。情報記録部６１２は、動作決定部６１１によって決定された現在の第１装置動作情報Ａ０と、そのときに通信部６２によって受信された現在の第２装置動作情報Ｂ０１，Ｂ０２とを互いに関連付けて記憶部６３に記憶させる処理、又は、記憶部６３に記憶されている情報を更新する処理を行う。情報取得部６１３は、記憶部６３に記憶されている過去の第１装置動作情報Ａ１と過去の第２装置動作情報Ｂ１１，Ｂ１２とを取得する処理を行う。なお、記憶部６３に記憶された現在の第１装置動作情報Ａ０と現在の第２装置動作情報Ｂ０１，Ｂ０２は、時間が経過すると過去の情報となっているので、読み出される時点においては、過去の第１装置動作情報Ａ１と過去の第２装置動作情報Ｂ１１，Ｂ１２と記載する。
【００４５】
動作決定部６１１は、通信部６２を介して現在の第２装置動作情報Ｂ０１，Ｂ０２を取得する処理、情報取得部６１３が記憶部６３から取得した過去の第２装置動作情報Ｂ１１，Ｂ１２のうちから、通信部６２を介して取得された現在の第２装置動作情報Ｂ０１，Ｂ０２に最も類似度が高い過去の第２装置動作情報Ｂ１１ａ，Ｂ１２ａを選別する処理、及び、再生装置６の現在の動作を示す現在の第１装置動作情報Ａ０を、選別された過去の第２装置動作情報Ｂ１１ａ，Ｂ１２ａに関連付けて記憶部６３に記憶されている第１装置動作情報である過去の第１装置動作情報Ａ１に基づいて決定又は算出する処理を行う。
【００４６】
図１２は、図１１に示される再生装置（第１テレビ）６の構成を示すブロック図である。図１２に示されるように、実施の形態３に係る再生装置６は、再生装置６全体の動作を制御する主制御部６１であるＣＰＵ（中央処理装置）と、ソフトウェアを実行するときにデータを格納するＲＡＭ（ランダムアクセスメモリ）６３２と、ソフトウェア等のデータを保持する不揮発メモリ６３１と、第２装置などと通信するときに使用される通信部６２と、再生装置６にユーザ指示を入力するための操作入力部６５とを有している。ＲＡＭ６３２と不揮発メモリ６３１とは、記憶部６３を構成する。また、再生装置６は、放送信号又は外部信号などが入力され、この放送信号を復号する信号入力部６６と、復号によって生成された映像信号及び音声信号を出力する映像音声出力部６４と、現在の時刻情報を提供する時刻提供部６７とを有している。
【００４７】
主制御部６１は、再生装置６に入力された放送信号Ｖ２を復号し、この復号された放送信号に基づく映像情報、音声情報、及び付加情報をユーザに提供することができるように、再生装置６内の各構成を制御する。
【００４８】
信号入力部６６は、入力された放送信号Ｖ２を再生装置６内に取り込むチューナ６６１と、チューナ６６１から受け取った、暗号化された放送信号を復号するデスクランブラ６６２と、デスクランブラ６６２によって復号された非暗号の放送信号から映像信号、音声信号及びデータ放送信号等の付加信号を選択するデマルチプレクサ６６３とを有している。また、信号入力部６６は、デマルチプレクサ６６３によって選択された映像信号を復号し、元の映像情報に戻す映像デコーダ６６６と、デマルチプレクサ６６３によって選択された音声信号を復号し、元の音声信号Ｗ３に戻す音声デコーダ６６７と、デマルチプレクサ６６３によって選択されたデータ放送信号からデータ放送画面情報を生成するデータ放送処理部６６５と、ユーザ操作を行うためのグラフィックス画面を生成するグラフィックス生成部６６４と、外部から映像信号又は音声信号などの外部信号Ｖ１を入力する外部入力部６６８とを有している。
【００４９】
映像音声出力部６４は、映像合成部６４１と、映像スケーラ６４２と、アナログ変換部６４３とを有している。映像合成部６４１は、映像デコーダ６６６によって生成された映像情報、外部入力部６６８を経由して入力された映像情報、データ放送処理部６６５によって生成されたデータ放送画面情報、及びグラフィックス生成部６６４で生成されたグラフィック画面情報の中の１又は複数を選択的に重畳して合成する。映像スケーラ６４２は、映像合成部６４１による合成処理によって生成された映像情報を、所望の出力フォーマットの信号Ｗ１に変換する。アナログ変換部６４３は、音声デコーダ６６７及び外部入力部６６８からのデジタル音声情報を、アナログ音声信号Ｗ２に変換する。
【００５０】
通信部６２は、再生装置６が第２装置と通信するための構成である。通信部６２は、例えば、近距離無線通信を行うためのＢｌｕｅｔｏｏｔｈ通信部６２１と、無線ＬＡＮ（ローカルエリアネットワーク）通信部６２２と、有線ＬＡＮ通信部６２３とを有している。通信部６２は、Ｂｌｕｅｔｏｏｔｈ通信部６２１、無線ＬＡＮ通信部６２２、及び有線ＬＡＮ通信部６２３のいずれか１つ又は２つから構成されてもよく、又は、他の通信規格の通信部を備えてもよい。Ｂｌｕｅｔｏｏｔｈ通信部６２１は、近距離の第２装置とＢｌｕｅｔｏｏｔｈ規格（登録商標）に従い無線通信をする。無線ＬＡＮ通信部６２２は、他の無線ＬＡＮ機器と１対１又は１対多で接続し、無線通信する。有線ＬＡＮ通信部６２３は、他の有線ＬＡＮ機器とＥｔｈｅｒｎｅｔケーブルを経由して接続され、通信する。
【００５１】
通信部６２は、再生装置６の第１装置動作情報又は第２装置の第２装置動作情報等を通信することができる。例えば、ＨＥＭＳ対応家電機器の間では、エネルギー使用量に関しての動作情報を通信することにより、住宅で消費するエネルギー使用量を最適化するように構成するが、このとき、各装置が稼動しているか停止しているかといった動作に関する情報も通信する。また、音声信号を出力するＢｌｕｅｔｏｏｔｈ装置と、音声信号を入力し音声出力するＢｌｕｅｔｏｏｔｈスピーカの間では、一方又は双方の装置の動作に関する情報を、やり取りするような構成としてもよい。
【００５２】
操作入力部６５は、再生装置６にユーザ指示を直接入力するための操作ボタン６５２、ユーザ指示を遠隔入力するためのリモコン６９、及びリモコン６９による操作内容を受信するリモコン受信部６５１を有する。ただし、操作入力部６５の構成は、図１２の例に限定されず、ユーザ指示が入力可能な構成であれば、操作ボタン６５２のみを有する構成、リモコン６９からの信号を受け取るリモコン受信部６５１のみを有する構成などのような、他の構成であってもよい。また、通信部６２を介してリモコン６９のユーザ操作情報を受信する構成を採用してもよい。
【００５３】
時刻提供部６７は、ＣＰＵ（主制御部）６１に現在の時刻情報を提供する構成であれば、時計機能を持つ構成、又は、放送信号又は第２装置から通信部６２を介して時刻情報を取得する構成のいずれであってもよい。
【００５４】
図１３は、図１１に示される再生装置６の記憶部６３に記憶される動作情報の一例を示す図である。図１３に示されるように、記憶部６３は、例えば、過去の第１装置動作情報Ａ１と過去の第２装置動作情報Ｂ１１，Ｂ１２とを互いに関連づけて記憶している。図１３の例では、同じ行の動作情報が、互いに関連付けられた情報である。また、音量レベルは、数値が大きくなるほど、音量が大きくなる。なお、図１３の例は、一例に過ぎず、記憶部６３に記憶される情報は、他の動作情報（例えば、ユーザ特定情報、時刻情報（年月日情報、曜日情報を含む）、ユーザ操作情報のいずれか１つ以上）を含んでもよい。
【００５５】
図１４は、実施の形態３に係る再生装置６の主制御部６１が行う起動処理を示すフローチャートである。操作入力部６５から電源入のユーザ指示が入力されて、再生装置６に起動命令が入力されると（ステップＳ２１）、再生装置６の主制御部６１は、再生装置６の機能を開始するための初期化処理を実行する（ステップＳ２２）。初期化処理には、例えば、放送信号を受信するためのチューナ６６１及びデスクランブラ６６２、映像デコーダ６６６等のハードウェアの初期化処理、並びに、主制御部６１の動作に必要なソフトウェアプログラムを不揮発メモリ６３１からＲＡＭ６３２へ転送して実行可能にするソフトウェアの初期化処理が含まれる。
【００５６】
次に、主制御部６１は、第１装置動作情報を予め設定した初期値に設定することによって、再生装置６が現在行う動作を設定する（ステップＳ２３）。予め設定した初期値は、例えば、再生装置６の前回の起動時における第１装置動作情報を、再生装置６の電源切の前に不揮発メモリ６３１に記録しておき、この記録されている第１装置動作情報の値を、再生装置６の今回の起動時における第１装置動作情報の初期値とすることができ、又は、ユーザが操作入力部６５から入力した起動命令に含まれる値を再生装置６の今回の起動時における第１装置動作情報の初期値とすることができる。第１装置動作情報には、再生装置６の音声再生の音量レベル等の音声設定、映像再生の輝度等の映像設定、入力信号の種別、放送波の種別、選局される放送局の設定等が含まれる。
【００５７】
次に、再生装置６の主制御部６１は、再生装置６と通信可能な第２装置が存在するかどうかを判定する（ステップＳ２４）。再生装置６と通信可能な装置があれば、再生装置６の主制御部６１は、再生装置６と通信可能な第２装置である第２テレビ７及び換気扇８の第２装置動作情報を取得し（ステップＳ２５）、再生装置６と通信可能な第２装置の数に等しい回数だけ、ステップＳ２４及びＳ２５の処理を繰り返す。再生装置６と通信可能な第２装置が他になければ、再生装置６の主制御部６１は、処理をステップＳ２６に進める。再生装置６の主制御部６１は、再生装置６と通信可能な第２装置の存在の有無を確認する処理は、実際に通信部６２から通信ネットワーク３上に存在する第２装置を発見する処理であってもよいし、又は、予め登録されている接続対象となっている第２装置の存在のみ確認する処理であってもよい。例えば、通信プロトコルＴＣＰ／ＩＰを用いる無線ＬＡＮ通信部６２２又は有線ＬＡＮ通信部６２３において、通信ネットワーク３上に存在する第２装置を発見するには、通信規約に定められた一斉通知命令（ブロードキャストパケット）を通信ネットワーク３に送出することで第２装置の発見を実現することができる。また、予め接続対象の第２装置が登録されている場合には、接続対象の第２装置のＩＰアドレスに対して通信開始を試み、成功すれば該当の第２装置の第２装置動作情報を取得することで、第２装置の存在を確認することができる。
【００５８】
次に、再生装置６の主制御部６１は、ステップＳ２３において設定した再生装置６の第１装置動作情報と、ステップＳ２５において取得した第２装置動作情報とを互いに関連付けて、記憶部６３に記録する（ステップＳ２６）。記憶部６３は、電力が供給されないときにはデータが消滅する揮発性のＲＡＭ６３２、及び、電力が供給されていなくてもデータを保持し続けることができる不揮発性の不揮発メモリ６３１を備える。ステップＳ２６においては、再生装置６の電源の投入及び切断を行っても、記録した再生装置６の第１装置動作情報及び第２装置動作情報を利用する場合には、不揮発メモリ６３１に第１装置動作情報及び第２装置動作情報を記録するよう構成することが望ましい。また、再生装置６の第１装置動作情報及び第２装置動作情報を頻繁に記録する場合には、記録回数の上限が大きく記録速度の速い揮発性のＲＡＭ６３２に記録するよう構成してもよい。
【００５９】
ステップＳ２６において、再生装置６の第１装置動作情報と第２テレビ７及び換気扇８の第２装置動作情報とを、記憶部６３に記録するときに、記録処理がユーザ操作の起動命令の入力に起因して行われることを示すユーザ操作情報、ユーザ操作によって起動命令が入力された時刻を示す時刻情報、並びに、再生装置６が第１装置動作情報及び第２装置動作情報を記憶部６３に記録する記録処理を実行する時刻を示す時刻情報のうちの、少なくとも１つを第１装置動作情報及び第２装置動作情報と関連付けて記録するよう構成してもよい。
【００６０】
また、ステップＳ２４において、再生装置６と通信可能な第２装置が存在しない場合には、ステップＳ２６において、第２装置動作情報には、再生装置６と通信可能な第２装置が存在しない旨を示す情報を、第１装置動作情報に関連付けて記録するよう構成してもよい。
【００６１】
このように再生装置６の起動処理を、ステップＳ２１からＳ２６までの処理に従って実行することにより、再生装置６は、再生装置６の起動処理実行後に、再生装置６の現在の第１装置動作情報と、再生装置６と通信可能な第２装置の第２装置動作情報とを保持することができる。
【００６２】
図１５は、実施の形態３に係る再生装置６の主制御部６１が行う第１装置動作情報を算出するときの処理を示すフローチャートである。図１５において、第１装置動作情報を算出する処理を開始すると（ステップＳ３１）、再生装置６は、第２装置（他装置）が現在行う動作を示す第２装置動作情報を受信可能であるかどうかを確認する（ステップＳ３２）。再生装置６は、起動処理時（図１４のステップＳ２４及びＳ２５）において、再生装置６と通信可能な第２装置が現在行う動作を示す第２装置動作情報を全て取得しており、そのとき以降、第２装置から現在の第２装置動作情報の更新の通知がない場合、又は、次のステップＳ３３において再生装置６と通信可能な第２装置の第２装置動作情報を全て取得し、このとき以降、第２装置から現在の第２装置動作情報の更新の通知がない場合には、処理をステップＳ３４に進める。また、再生装置６は、上記更新の通知がない場合のいずれにも該当しない場合、すなわち、再生装置６と通信可能な第２装置動作情報の少なくとも一部を取得していない場合には、現在の第２装置動作情報Ｂ０１，Ｂ０２を取得する（ステップＳ３３）。
【００６３】
このようにして現在の第２装置動作情報Ｂ０１，Ｂ０２を取得すると、再生装置６は、過去の第２装置動作情報を記憶部６３から取得可能かどうかを判定する（ステップＳ３４）。図１４の起動処理時、又は、図１５のステップＳ３９等で第２装置動作情報を一度も記録していない場合には、再生装置６の動作決定部６１１は、過去の第２装置動作情報を参考にして第１装置動作情報を算出することはできないと判断し、処理をステップＳ３８に進める。この時点よりも前に、少なくとも１回、第２装置の第２装置動作情報を記録している場合には、動作決定部６１１は、第２装置の過去の第２装置動作情報Ｂ１１，Ｂ１２を記憶部６３から取得する（ステップＳ３５）。
【００６４】
ステップＳ３５までの処理を実行することで、再生装置６は、再生装置６と通信可能な第２装置の現在の第２装置動作情報Ｂ０１，Ｂ０２、及び、少なくとも１つの過去の第２装置動作情報Ｂ１１，Ｂ１２を取得することができる。次に、再生装置６は、これら再生装置６と通信可能な第２装置の現在の第２装置動作情報Ｂ０１，Ｂ０２と過去の第２装置動作情報Ｂ１１，Ｂ１２とを比較し、第２装置の現在の第２装置動作情報と最も類似度が高い過去の第２装置動作情報Ｂ１１ａ，Ｂ１２ａを選別する（ステップＳ３６）。動作情報同士の最も類似度が高いものと選別する際には、例えば、現在の第２装置動作情報と過去の第２装置動作情報との距離関数を定義し、この距離関数によって導かれる値が最も小さいものを選別する演算を行う。
【００６５】
現在の第２装置動作情報と過去の特定の１つの第２装置動作情報との距離関数は、例えば、次式（１）の距離関数Ｄｘ（ａ）のように定義することができる。
Ｄｘ（ａ）
＝｛ｒ１＊（Ｐａ１−Ｐｎ１）２＋ｒ２＊（Ｐａ２−Ｐｎ２）２＋…
＋ｒｋ＊（Ｐａｋ−Ｐｎｋ）２｝１／２                    式（１）
ここで、
Ｐｎ＝（Ｐｎ１，Ｐｎ２，…，Ｐｎｋ）は、現在の第２装置動作情報であり、
Ｐａ＝（Ｐａ１，Ｐａ２，…，Ｐａｋ）は、過去の第２装置動作情報であり、
ｒ＝（ｒ１，ｒ２，…，ｒｋ）は、動作情報の要素の重み係数であり、
ｋは、１以上の整数である。
【００６６】
現在の第２装置動作情報を構成する全ての要素は、現在の第２装置動作情報Ｐｎのいずれかの要素Ｐｎ１，Ｐｎ２，…，Ｐｎｋに対応し、また、過去の特定の１つの第２装置動作情報Ｐａのいずれかの要素Ｐａ１，Ｐａ２，…，Ｐａｋに対応する。このように定めた、距離関数Ｄｘ（ａ）を用いると、現在の第２装置動作情報と過去の特定の１つの第２装置動作情報との関係をスカラー値として算出することができ、取得可能な過去の第２装置動作情報が複数あった場合にも、これらのスカラー値の最小となるものを選別することができ、最も類似度が高い過去の第２装置動作情報を１つ選択することができる。
【００６７】
なお、現在の第２装置動作情報Ｐｎ及び過去の第２装置動作情報Ｐａの各要素には、少なくとも第２装置動作情報を含むよう構成するが、第２装置動作情報と関連付けて第１装置動作情報、ユーザ設定情報等を含むよう構成したり、各要素に重み係数ｒをユーザ設定情報又は時刻情報の内容を適切に設定したりすれば、ステップＳ３６の処理を簡略化することができる。例えば、現在の時刻に近い過去の第２装置動作情報の優先度を高めるためには、例えば、次式（２）のように距離関数Ｄｙ（ａ）を定義すればよい。
Ｄｙ（ａ）＝Ｄｘ（ａ）＊｛１＋ｒｔ＊（Ｐａｔ−Ｐｎｔ）２｝      式（２）
ここで、Ｐｎｔは、現在の第２装置動作情報の時刻情報であり、Ｐａｔは、過去ａにおける動作情報（ある時刻における動作情報）の時刻情報であり、ｒｔは、時刻情報の重み係数である。
【００６８】
ここで、現在の第２装置動作情報Ｐｎの時刻情報Ｐｎｔについて、日付に関する情報を除いた１日である２４時間のいずれかの時刻情報にして距離Ｄｙに入力し、過去の特定の１つの第２装置動作情報Ｐａの時刻情報Ｐａｔについても同様とすると、現在の第２装置動作情報と類似する過去の特定の第２装置動作情報が２つ存在しこれらの時刻情報以外の構成要素が同じ場合には、現在の時刻情報に近い方が距離Ｄｙが小さくなり選別の対象とする。このようにすれば、再生装置６と通信可能な第２装置の動作により発生する音声以外の周辺環境による音声を考慮して、再生装置６の音量レベルを適切な値に設定することができる。一般に、日中の周辺環境の騒音レベルは高く、深夜の周辺環境の騒音レベルは低くなる。ユーザ自身で再生装置６の音量レベルを設定する場合、再生装置６と通信可能な第２装置の動作による音声以外の影響があり、動作情報を記録した時刻情報を参考にすれば、より適切な過去の第２装置動作情報を選別することができる。
【００６９】
同様に、現在の第２装置動作情報Ｐｎの時刻情報Ｐｎｔについて、曜日が同一であったり、年月日が近接したりする場合に、距離Ｄｙが小さくなるよう動作情報Ｐｎの時刻情報Ｐｎｔを構成し、かつ、必要に応じて距離Ｄｙの定義を構成し直して、同じ曜日又は類似する季節を選別するようにすれば、過去の第２装置動作情報としてより適切なものを選別することができる。一般に、月曜日から金曜日及び土曜日までの平日と、週末の休日では、生活習慣が異なるため、住宅内の様々な要因による騒音レベルの時刻の経過に伴う変化が平日と休日との間で異なる特徴があり、同一時刻の場合であっても再生装置６の再生音量レベルが最適となる値が異なる場合がある。同一の曜日の過去の第２装置動作情報を選別するようにすると、これらの曜日ごとの差異を考慮して現在の時刻に最適な再生装置６の再生音量レベルを設定することができる。類似する季節についても、同一の季節の過去の第２装置動作情報を選別するようにすると、これらの季節ごとの差異を考慮して現在の時刻に最適な再生装置６の再生音量レベルを設定することができる。
【００７０】
また、過去の第２装置動作情報が同一で、これに関連付けて記録されたユーザ操作情報が異なるものがあれば、ユーザ操作情報が更新された後の過去の第２装置動作情報を選別するよう構成すれば、第２装置の動作状況に応じてユーザ自身で最適に設定した第１装置動作情報を設定することができる。第２装置の動作により発生する音声が住宅内で干渉する場合に、ユーザ自身により再生装置６の音量レベルを適切な値に設定すれば、それ以降は、第２装置の第２装置動作情報が同じになった場合に、再生装置６の音量レベルを自動的に最適な値に設定することができる。
【００７１】
このようにしてステップＳ３６において、現在の第２装置動作情報に最も類似度の高い過去の特定の１つの第２装置動作情報を選別すると、次のステップＳ３７において、該当の過去の第２装置動作情報を記録したときに、これに関連付けて記録した第１装置動作情報を記憶部６３から取得する。なお、ステップＳ３６において、第１装置動作情報も選別に用いた場合には、既に記憶部６３から該当の第１装置動作情報を取得しているため、再度、記憶部６３に記録する必要はない。
【００７２】
次に、再生装置６は、ステップＳ３８において、第１装置動作情報を算出し、算出した第１装置動作情報に応じて再生装置６の動作を設定する。第１装置動作情報として、例えば、ステップＳ３７において、取得した過去の第２装置動作情報が最も類似するときの過去の第１装置動作情報と同一になるよう算出すれば、過去の第２装置動作情報での実績が適用されるため、再生装置６と通信可能な第２装置動作情報に応じて最も適切な第１装置動作情報を設定することができる可能性が高い。
【００７３】
また、ステップＳ３８において、第１装置動作情報を算出する以前に、ユーザ指示が入力されている場合には、ステップＳ３７において、取得した過去の第２装置動作情報が最も類似するときの過去の第１装置動作情報と完全に同一になるよう算出せずに、ユーザ操作により変更する動作情報については、動作が急に変更されないよう制御することで、第１装置動作情報の変更による再生装置６の急激な動作変更を抑えることができ、快適な操作環境を得ることができる。
【００７４】
次に、再生装置６は、ステップＳ３９において、ステップＳ３４までに取得した第２装置の現在の第２装置動作情報と、ステップＳ３８において、算出した再生装置６の現在の第１装置動作情報を、記憶部６３に記録する。図１５の第１装置動作情報の算出を開始したのがユーザ指示の入力による要因であれば、このユーザ操作情報を第１装置動作情報に関連付けて記録するよう構成することができる。また、時刻提供部６７から時刻情報が入力されていれば、時刻情報を第１装置動作情報に関連付けて記録するよう構成することができる。
【００７５】
なお、再生装置６は、ステップＳ３９において、更新のあった動作情報の要素については、新たに記録するが、更新のなかった動作情報の要素については、更新のなかった要素をそのまま記録してもよいし、更新がなかった旨を記録するよう構成してもよい。動作情報の要素数が膨大であり、かつ、そのうちの更新のあった動作情報の要素数が僅かである場合には、更新がなかった要素について更新がなかった旨を記録すると動作情報の記録に必要な記憶部６３の容量が少なくなる場合があり、頻繁に動作情報を記録する必要がある場合でも、記憶部６３を小容量のメモリで構成することができる。
【００７６】
このように再生装置６の起動処理をステップＳ３１からＳ３９までの処理に従い実行することにより、過去の第２装置動作情報を考慮して再生装置６の適切な第１装置動作情報を算出することができる。
【００７７】
図１６は、実施の形態３に係る再生装置６が図１５に示す第１装置動作情報の算出処理（ステップＳ４８）に至る過程の処理を示すフローチャートである。図１５に示した第１装置動作状態の更新を開始する要因として、例えば、図１６のステップＳ４２の処理と、ステップＳ４４の処理と、ステップＳ４６の処理とがある。ステップＳ４２は、再生装置６と通信可能な複数の第２装置のうちの何れか又は全てから、第２装置動作情報の通知があった場合、又は、再生装置６の処理に起因して第２装置動作情報を取得した場合を示す。また、ステップＳ４４は、操作入力部６５を用いたユーザ操作によってユーザ指示が入力された場合を示す。また、ステップＳ４６は、時刻提供部６７からの時刻情報の提供によって、再生装置６の内部処理として第１装置動作情報の変更が行われた場合を示す。
【００７８】
ステップＳ４２において、再生装置６と通信可能な第２装置の何れか又は全てから該当の装置の第２装置動作情報の通知があったか、再生装置６の処理の都合で第２装置動作情報を取得した場合には、ステップＳ４３において、該当の第２装置の第２装置動作情報を更新した上で、ステップＳ４８において、図１５に示した第１装置動作状態の更新を実行する。
【００７９】
また、ステップＳ４４において、操作入力部６５から何らかのユーザ操作がありこれを入力した場合には、ステップＳ４５において、ユーザ操作情報を更新した上で、ステップＳ４８において、図１５に示した第１装置動作状態の更新を実行する。
【００８０】
また、ステップＳ４６において、時刻情報の更新等、再生装置６の内部処理として第１装置動作情報の変更が伴う何らかの動作が行われた場合には、ステップＳ４７において、時刻情報又は該当の第１装置動作情報を更新した上で、ステップＳ４８において、図１５に示した第１装置動作状態の更新を実行する。
【００８１】
このように再生装置６の起動処理をステップＳ４１からＳ４８までの処理に従い実行することにより、再生装置６の動作の変更、再生装置６と通信可能な第２装置の動作の変更、ユーザ入力、時刻情報等様々な要因を起点として、その時点での種々の動作情報を記憶部６３に記録することができる。様々な状況における動作情報を記録し、動作情報に関連付けてそのときのユーザ指示等を加味した最適な第１装置動作情報を記録することにより、様々な状況が発生した場合であっても、過去の類似した状況における最適な動作情報を選別し第１装置動作情報を算出し、過去の例では、最も適したと判断される再生装置６の動作を決定することができるようになる。
【００８２】
なお、図１６におけるステップＳ４２、Ｓ４４、Ｓ４６は、再生装置６が動作情報を過去の第２装置動作情報として記憶部６３に記録する場合の例示であり、再生装置６が動作情報を過去の第２装置動作情報として記憶部６３に記録する他の場合をさらに追加することも可能であり、また、記憶部６３の容量が小さい場合には、再生装置６が動作情報を過去の第２装置動作情報として記憶部６３に記録する動作情報を減らすことも可能である。
【００８３】
また、再生装置６が動作情報を過去の第２装置動作情報として記憶部６３に記録した場合であっても、予め決められた期間が経過した古い動作情報を削除したり、予め決められた期間内に選別された回数が所定値以下である動作情報を抽出して削除したりすることによって、記憶部６３として、記憶容量が小さいメモリを使用することができ、再生装置６の低価格化に寄与することができる。
【００８４】
図１７は、図１０に示される制御システムの動作の一例を概略的に示すシーケンス図である。再生装置６は、リモコン６９から入力されたユーザ指示を受信可能であり、また、第２装置（他装置）としての第２テレビ７及び換気扇８の動作情報である第２装置動作情報を取得することができる。図１７において、リモコン６９により「再生装置６の電源入」の起動命令を入力すると（時刻ｔ２１）、再生装置６は、所定の初期化処理を実行して起動する（ステップＳ５１）。このとき、再生装置６は、例えば、第１装置動作情報として前回起動時の音量レベル５を初期値とし、また、第２テレビ７及び換気扇８は電源切状態である旨の第２装置動作情報を取得する。なお、音量レベルの数値が大きいほど、出力される音声の音量が大きい。
【００８５】
次に、リモコン６９により「再生装置６の音量レベルを１０に変更する」旨のユーザ指示を入力すると（時刻ｔ２２）、再生装置６は、図１５に示される第１装置動作情報を算出するときの処理に従い、第１装置動作情報としての音量レベルを算出する。再生装置６は、例えば、この時点よりも前に記憶部６３に記憶された過去の第２装置動作情報の中に、該当するユーザ操作情報に類似する第２装置動作情報が見つからない場合には、ユーザ指示の命令どおり音量レベル１０を算出し、音量レベル１０が継続される（ステップＳ５２）。
【００８６】
次に、第２テレビ７から「第２テレビ７の電源入」の旨の通知を受け取ると（時刻ｔ２３）、再生装置６は、適切な音量レベルを算出する。再生装置６は、この時点よりも前に記憶部６３に記憶された過去の第２装置動作情報で該当のユーザ操作情報に同一のものが見つからず、前回（時刻ｔ２２で）記録した動作情報が最も類似度が高いと判別し、そのときの再生装置６の音量レベル１０を算出し、音量レベル１０が継続される（ステップＳ５３）。
【００８７】
次に、第２テレビ７の電源入の後、リモコン６９により「再生装置６の音量レベルを１５に変更する」旨のユーザ指示を入力する（時刻ｔ２４）。これは、第２テレビ７が電源入となったために、再生装置６を利用するユーザが、再生装置６の音声を聞き取りやすくするために実施した操作であると推定することができる。再生装置６は、この時点（時刻ｔ２４）よりも前に記憶部６３に記憶された過去の第２装置動作情報で該当のユーザ操作情報に同一のものが見つからず、ユーザ操作直後の第１装置動作情報の算出であるため、類似度の判定ではなく、ユーザ指示を優先して、ユーザ指示の命令どおり音量レベル１５を算出し、音量レベルを１５に変更する（ステップＳ５４）。
【００８８】
次に、換気扇８から「換気扇８の電源入」の旨の通知を受け取ると（時刻ｔ２５）、ステップＳ５５において、再生装置６は、適切な音量レベルを算出する。再生装置６は、この時点よりも前に記憶部６３に記憶された過去の第２装置動作情報で該当のユーザ操作情報に同一のものが見つからず、前回（時刻ｔ２４）記録した動作情報が最も類似度が高いと判別し、そのときの再生装置６の音量レベル１５を算出し、音量レベル１５を継続する（ステップＳ５５）。
【００８９】
次に、換気扇８の電源入の後、リモコン６９により「再生装置６の音量レベルを２０に変更する」旨のユーザ指示を入力する（時刻ｔ２６）。これは、換気扇８が電源入となったために、再生装置６を利用するユーザが再生装置６の音声を聞き取りやすくするために実施したと推定することができる。再生装置６は、適切な音量レベルを算出するが、この時点（時刻ｔ２６）よりも前に記憶部６３に記憶された過去の第２装置動作情報で該当のユーザ操作情報に同一のものが見つからず、ユーザ操作直後の第１装置動作情報の算出であるため、ユーザ指示の命令どおり音量レベル２０を算出し、音量レベル２０を継続する（ステップＳ５６）。
【００９０】
次に、換気扇８から「換気扇８の電源切」の旨の通知を受け取ると（時刻ｔ２７）、ステップＳ５７において、再生装置６は、適切な音量レベルを算出する。再生装置６は、第２テレビ（第２装置）７の電源が入、換気扇８の電源が切であり、これと同一の第２装置動作情報としてはステップＳ５３の直後に記録した動作情報、ステップＳ５４の直後に記録した動作情報を発見することができる。さらに、再生装置６は、ステップＳ５４はこの状態において、リモコン６９によるユーザ指示の後に記録した動作情報であり、ステップＳ５３の直後に記録した動作情報に比べて、より最適に近い動作情報であると判断し、ステップＳ５４の直後に記録した動作情報を選別する。このときの再生装置６の音量レベルは１５であるため、再生装置６は、音量レベル１５を算出し、算出した音量レベル１５に自動的に音量変更を行う（ステップＳ５７）。このように、再生装置６は、リモコン６９によるユーザ指示を必要とせず、最適な音量設定を自動で行うことができる。
【００９１】
次に、第２テレビ７から「第２テレビ７の電源入」の旨の通知を受け取ると（時刻ｔ２８）、再生装置６は、適切な音量レベルを算出する。再生装置６は、再生装置６と通信可能な第２テレビ７及び換気扇８の電源が共に切であり、これと同一の第２装置動作情報としては、ステップＳ５１の直後に記録した動作情報、ステップＳ５２の直後に記録した動作情報を発見することができる。ステップＳ５７で再生装置６の音量レベルを算出したときと同様に、再生装置６は、ユーザ指示後に記録したステップＳ５２の直後に記録した動作情報を選別する。このときの再生装置６の音量レベルは１０であるため、再生装置６は、ステップＳ５７において、音量レベル１０を算出し、再生装置６の主制御部６１は、算出した音量レベル１０に自動的に音量変更を行う（ステップＳ５８）。
【００９２】
このように、再生装置６は、第１装置動作情報若しくは再生装置６と通信可能な第２装置の第２装置動作情報が入力されたとき、又は、リモコン６９によるユーザ指示が入力されたときなどに、関連する動作情報を記録しておき、次に、同様の状態が発生した場合には、記録した動作情報に基づき、再生装置６の動作を制御することができる。
【００９３】
以上に説明したように、実施の形態３に係る再生装置６及び再生方法によれば、通信部６２を介して取得した現在の第２装置動作情報Ｂ０に最も類似度が高い過去の第２装置動作情報Ｂ１１ａ，Ｂ１２ａを記憶部６３に記憶されている過去の第２装置動作情報Ｂ１１，Ｂ１２の中から選別し、選別された過去の第２装置動作情報Ｂ１１ａ，Ｂ１２ａに関連付けて記憶されている過去の第１装置動作情報Ａ１ａに基づいて、動作制御装置１が現在行う動作を設定するので、再生装置６の動作を適切に設定することができる。例えば、再生装置６の音量レベルの設定として再生装置６のユーザが最適な値を一度設定すれば、その後、同様の状況が生じたときに、再生装置６の音量レベルを自動的に最適な値に設定することができる。
【００９４】
また、実施の形態３に係る再生装置６及び再生方法によれば、予め定められた低い音量レベル（非干渉音量）に自動的に音量レベルを変更する従来の装置に比べ、不用意に音量レベルが小さくなり過ぎ、再生装置６の音声が聞き取り難くなるといった不都合な状況を生じさせないという効果がある。
【００９５】
変形例．
上記実施の形態１から３においては、主に再生装置の音量制御を説明したが、本発明は、電子レンジなどの電子機器のブザー音又は合成音声の音量制御にも適用可能である。
【００９６】
また、上記実施の形態１から３においては、再生装置６の音量レベルの自動調節を例示したが、本発明は、近接配置された複数の電子機器間で互いに干渉する状況を回避する用途であれば、音量レベル以外の物理量の調整にも適用できる。例えば、本発明は、再生装置６の表示画面の輝度レベルを、第２装置としての室内照明機器の現在及び過去の動作状態に応じて変更する動作制御にも適用可能である。
【符号の説明】
【００９７】
１  動作制御装置（第１装置、自装置）、  ２  第２装置（他装置）、  ３  通信ネットワーク、  ４  第１装置、  ５  動作制御装置、  ６  第１テレビ（第１装置、再生装置）、  ７  第２テレビ（第２装置）、  ８  換気扇（第２装置）、  １１，５１，６１  主制御部、  １２，５２，６２  通信部、  １３，５３，６３  記憶部、  １４，５４  出力部、  １５，５５，６５  操作入力部、  ６４  映像音声出力部、  ６６  信号入力部、  ６７  時刻提供部、  １１１，５１１，６１１  動作決定部、  １１２，５１２，６１２  情報記録部、  １１３，５１３，６１３  情報取得部、  ６３１  不揮発メモリ、  ６３２  ＲＡＭ、  Ａ０  現在の第１装置動作情報、  Ａ１  過去の第１装置動作情報、  Ｂ０，Ｂ０１，Ｂ０２  現在の第２装置動作情報、  Ｂ１，Ｂ１１，Ｂ１２  過去の第２装置動作情報。
【図１】
2015177944.tif 000003
【図２】
2015177944.tif 000004
【図３】
2015177944.tif 000005
【図４】
2015177944.tif 000006
【図５】
2015177944.tif 000007
【図６】
2015177944.tif 000008
【図７】
2015177944.tif 000009
【図８】
2015177944.tif 000010
【図９】
2015177944.tif 000011
【図１０】
2015177944.tif 000012
【図１１】
2015177944.tif 000013
【図１２】
2015177944.tif 000014
【図１３】
2015177944.tif 000015
【図１４】
2015177944.tif 000016
【図１５】
2015177944.tif 000017
【図１６】
2015177944.tif 000018
【図１７】
2015177944.tif 000019
【手続補正書】
【提出日】平成28年6月9日(2016.6.9)
【手続補正１】
【補正対象書類名】特許請求の範囲
【補正対象項目名】全文
【補正方法】変更
【補正の内容】
【特許請求の範囲】
【請求項１】
少なくとも１つの第２装置と通信可能に接続された第１装置としての動作制御装置において、
前記第１装置が現在行う動作を示す第１装置動作情報を決定する動作決定部と、
前記第２装置が行う動作を示す第２装置動作情報を受信する通信部と、
情報を記憶する記憶部と、
前記動作決定部によって決定された前記第１装置動作情報と前記通信部によって受信された前記第２装置動作情報とを互いに関連付けて前記記憶部に記憶させる情報記録部と、
前記記憶部に記憶されている前記第１装置動作情報と前記第２装置動作情報とを、過去の第１装置動作情報と過去の第２装置動作情報として取得する情報取得部を有し、
前記動作決定部は、
前記通信部を介して受信された前記第２装置動作情報を、現在の第２装置動作情報として取得する処理、
前記情報取得部が前記記憶部から取得した前記過去の第２装置動作情報と前記現在の第２装置動作情報との類似度に基づいて過去の第２装置動作情報を選別する処理、及び
前記第１装置が現在行う動作を、前記選別された過去の第２装置動作情報に関連付けて前記記憶部に記憶されている前記過去の第１装置動作情報に基づいて決定する処理、を行う
ことを特徴とする動作制御装置。
【請求項２】
前記過去の第２装置動作情報を選別する処理は、
前記情報取得部が前記記憶部から取得した前記過去の第２装置動作情報のそれぞれと前記現在の第２装置動作情報との類似度のうち、最も類似度の高い前記過去の第２装置動作情報を選別する処理である
ことを特徴とする請求項１に記載の動作制御装置。
【請求項３】
前記現在の第２装置動作情報に最も類似度が高い過去の第２装置動作情報を選別する前記処理は、予め定められた距離関数を用いて算出された、前記現在の第２装置動作情報と前記過去の第２装置動作情報との距離値のうちの、最小の距離値となる過去の第２装置動作情報を選別する処理であることを特徴とする請求項２に記載の動作制御装置。
【請求項４】
前記情報記録部は、前記第１装置動作情報と前記第２装置動作情報とを互いに関連付けて前記記憶部に記憶させる処理を、前記動作決定部が前記第１装置が現在行う動作を決定する処理を行うとき、及び、前記通信部が前記第２装置動作情報を受信するときのうちの少なくとも一方のときに行うことを特徴とする請求項１から３のいずれか１項に記載の動作制御装置。
【請求項５】
前記少なくとも１つの第２装置は、複数の第２装置であり、
前記動作決定部は、
前記通信部を介して受信された前記第２装置動作情報を、複数の現在の第２装置動作情報として取得する処理、
前記情報取得部が前記記憶部から取得した複数の過去の第２装置動作情報と前記複数の現在の第２装置動作情報との類似度に基づいて過去の第２装置動作情報を選別する処理、及び
前記第１装置が現在行う動作を、前記選別された過去の第２装置動作情報に関連付けて前記記憶部に記憶されている前記過去の第１装置動作情報に基づいて決定する処理、を行う
ことを特徴とする請求項１から４のいずれか１項に記載の動作制御装置。
【請求項６】
前記動作決定部は、前記情報取得部が前記記憶部から前記過去の第２装置動作情報及び前記過去の第１装置動作情報の少なくとも一方を取得できない場合に、前記第１装置の現在の動作を継続させることを特徴とする請求項１から５のいずれか１項に記載の動作制御装置。
【請求項７】
ユーザ指示の入力のために操作される操作入力部をさらに有し、
前記動作決定部は、前記操作入力部から入力された前記ユーザ指示に基づいて前記第１装置が現在行う動作を決定し、
前記情報記録部は、前記操作入力部の操作の内容を示すユーザ操作情報と、前記ユーザ指示に基づいて決定された動作を示す現在の第１装置動作情報と、前記通信部によって受信された現在の第２装置動作情報とを関連付けて前記記憶部に記憶させる
ことを特徴とする請求項１から６のいずれか１項に記載の動作制御装置。
【請求項８】
前記動作決定部は、前記第１装置が現在行う動作を、前記選別された過去の第２装置動作情報に関連付けて前記記憶部に記憶されている前記過去の第１装置動作情報と前記ユーザ操作情報とに基づいて決定する
ことを特徴とする請求項７に記載の動作制御装置。
【請求項９】
前記情報記録部は、前記操作入力部を操作したユーザを識別するユーザ識別情報を、前記第１装置動作情報及び前記第２装置動作情報と関連付けて前記記憶部に記憶させ、
前記動作決定部は、前記第１装置が現在行う動作を、前記選別された過去の第２装置動作情報に関連付けて前記記憶部に記憶されている前記過去の第１装置動作情報と前記ユーザ識別情報とに基づいて決定する
ことを特徴とする請求項７に記載の動作制御装置。
【請求項１０】
現在の時刻を示す時刻情報を提供する時刻提供部をさらに有し、
前記情報記録部は、前記時刻提供部によって提供された時刻情報を、前記第１装置動作情報及び前記第２装置動作情報と関連付けて前記記憶部に記憶させ、
前記動作決定部は、前記第１装置が現在行う動作を、前記選別された過去の第２装置動作情報に関連付けて前記記憶部に記憶されている前記過去の第１装置動作情報と前記時刻提供部とに基づいて決定する
ことを特徴とする請求項７に記載の動作制御装置。
【請求項１１】
音声を出力する出力部をさらに有し、
前記第１装置動作情報は、前記出力部から出力される音声の音量レベルに関する情報を含み、
前記動作決定部が決定する動作は、前記音量レベルの決定を含む
ことを特徴とする請求項１から１０のいずれか１項に記載の動作制御装置。
【請求項１２】
第１装置と少なくとも１つの第２装置とに通信可能に接続され、前記第１装置の動作を制御する動作制御装置において、
前記第１装置が現在行う動作を示す第１装置動作情報である現在の第１装置動作情報を決定する動作決定部と、
前記第１装置が行う動作を示す第１装置動作情報と前記第２装置が行う動作を示す第２装置動作情報とを受信する通信部と、
情報を記憶する記憶部と、
前記通信部によって受信された前記第１装置動作情報と前記第２装置動作情報とを互いに関連付けて前記記憶部に記憶させる情報記録部と、
前記記憶部に記憶されている前記第１装置動作情報と前記第２装置動作情報とを、過去の第１装置動作情報と過去の第２装置動作情報として取得する情報取得部と
を有し、
前記動作決定部は、
前記通信部を介して受信された前記第２装置動作情報を、現在の第２装置動作情報として取得する処理、
前記情報取得部が前記記憶部から取得した前記過去の第２装置動作情報と前記現在の第２装置動作情報との類似度に基づいて過去の第２装置動作情報を選別する処理、及び
前記第１装置の動作を、前記選別された過去の第２装置動作情報に関連付けて前記記憶部に記憶されている前記過去の第１装置動作情報に基づいて設定するための指令信号を、前記通信部を介して前記第１装置に送信する処理、を行う
ことを特徴とする動作制御装置。
【請求項１３】
通信部を介して少なくとも１つの第２装置と通信可能に接続された第１装置が行う動作制御方法であって、
前記通信部を介して受信された第２装置動作情報を、現在の第２装置動作情報として取得するステップと、
前記第１装置が行った動作を示す過去の第１装置動作情報と前記第２装置が行った動作を示す過去の第２装置動作情報とを互いに関連付けて記憶する記憶部から、前記過去の第２装置動作情報を取得するステップと、
前記記憶部から取得した前記過去の第２装置動作情報と前記通信部を介して取得された前記現在の第２装置動作情報との類似度に基づいて過去の第２装置動作情報を選別するステップと、
現在の第１装置動作情報を、前記選別された過去の第２装置動作情報に関連付けて前記記憶部に記憶されている前記過去の第１装置動作情報に基づいて設定することによって、前記第１装置が現在行う動作を設定するステップと
を有することを特徴とする動作制御方法。
【請求項１４】
通信部を介して第１装置と少なくとも１つの第２装置とに通信可能に接続された動作制御装置が行う動作制御方法であって、
前記通信部を介して受信された第２装置動作情報を、現在の第２装置動作情報として取得するステップと、
前記第１装置が行った動作を示す過去の第１装置動作情報と前記第２装置が行った動作を示す過去の第２装置動作情報とを互いに関連付けて記憶する記憶部から、前記過去の第２装置動作情報を取得するステップと、
前記記憶部から取得した前記過去の第２装置動作情報と前記通信部を介して取得された前記現在の第２装置動作情報との類似度に基づいて過去の第２装置動作情報を選別するステップと、
前記第１装置の動作を、前記選別された過去の第２装置動作情報に関連付けて前記記憶部に記憶されている前記過去の第１装置動作情報に基づいて設定するための指令信号を、前記通信部を介して前記第１装置に送信するステップと
を有することを特徴とする動作制御方法。
【請求項１５】
少なくとも１つの第２装置と通信可能に接続された第１装置としての再生装置において、
前記第１装置が現在行う動作を示す第１装置動作情報を決定する動作決定部と、
前記動作決定部によって決定された前記第１装置動作情報に基づく再生信号を出力する映像音声出力部と、
前記第２装置が行う動作を示す第２装置動作情報を受信する通信部と、
情報を記憶する記憶部と、
前記動作決定部によって決定された前記第１装置動作情報と前記通信部によって受信された前記第２装置動作情報とを互いに関連付けて前記記憶部に記憶させる情報記録部と、
前記記憶部に記憶されている前記第１装置動作情報と前記第２装置動作情報とを、過去の第１装置動作情報と過去の第２装置動作情報として取得する情報取得部と、
を有し、
前記動作決定部は、
前記通信部を介して受信された前記第２装置動作情報を、現在の第２装置動作情報として取得する処理、
前記情報取得部が前記記憶部から取得した前記過去の第２装置動作情報と前記現在の第２装置動作情報との類似度に基づいて過去の第２装置動作情報を選別する処理、及び
前記第１装置が現在行う動作を、前記選別された過去の第２装置動作情報に関連付けて前記記憶部に記憶されている前記過去の第１装置動作情報に基づいて決定する処理、を行う
ことを特徴とする再生装置。
【手続補正２】
【補正対象書類名】明細書
【補正対象項目名】０００８
【補正方法】変更
【補正の内容】
【０００８】
本発明の一態様に係る動作制御装置は、少なくとも１つの第２装置と通信可能に接続された第１装置としての動作制御装置であって、前記第１装置が現在行う動作を示す第１装置動作情報を決定する動作決定部と、前記第２装置が行う動作を示す第２装置動作情報を受信する通信部と、情報を記憶する記憶部と、前記動作決定部によって決定された前記第１装置動作情報と前記通信部によって受信された前記第２装置動作情報とを互いに関連付けて前記記憶部に記憶させる情報記録部と、前記記憶部に記憶されている前記第１装置動作情報と前記第２装置動作情報とを、過去の第１装置動作情報と過去の第２装置動作情報として取得する情報取得部を有し、前記動作決定部は、前記通信部を介して受信された前記第２装置動作情報を、現在の第２装置動作情報として取得する処理、前記情報取得部が前記記憶部から取得した前記過去の第２装置動作情報と前記現在の第２装置動作情報との類似度に基づいて過去の第２装置動作情報を選別する処理、及び前記第１装置が現在行う動作を、前記選別された過去の第２装置動作情報に関連付けて前記記憶部に記憶されている前記過去の第１装置動作情報に基づいて決定する処理を行うことを特徴とする。
【手続補正３】
【補正対象書類名】明細書
【補正対象項目名】０００９
【補正方法】変更
【補正の内容】
【０００９】
本発明の他の態様に係る動作制御装置は、第１装置と少なくとも１つの第２装置とに通信可能に接続され、前記第１装置の動作を制御する動作制御装置であって、前記第１装置が現在行う動作を示す第１装置動作情報である現在の第１装置動作情報を決定する動作決定部と、前記第１装置が行う動作を示す第１装置動作情報と前記第２装置が行う動作を示す第２装置動作情報とを受信する通信部と、情報を記憶する記憶部と、前記通信部によって受信された前記第１装置動作情報と前記第２装置動作情報とを互いに関連付けて前記記憶部に記憶させる情報記録部と、前記記憶部に記憶されている前記第１装置動作情報と前記第２装置動作情報とを、過去の第１装置動作情報と過去の第２装置動作情報として取得する情報取得部とを有し、前記動作決定部は、前記通信部を介して受信された前記第２装置動作情報を、現在の第２装置動作情報として取得する処理、前記情報取得部が前記記憶部から取得した前記過去の第２装置動作情報と前記現在の第２装置動作情報との類似度に基づいて過去の第２装置動作情報を選別する処理、及び前記第１装置の動作を、前記選別された過去の第２装置動作情報に関連付けて前記記憶部に記憶されている前記過去の第１装置動作情報に基づいて設定するための指令信号を、前記通信部を介して前記第１装置に送信する処理を行うことを特徴とする。
【手続補正４】
【補正対象書類名】明細書
【補正対象項目名】００１０
【補正方法】変更
【補正の内容】
【００１０】
本発明の他の態様に係る動作制御方法は、通信部を介して少なくとも１つの第２装置と通信可能に接続された第１装置が行う動作制御方法であって、前記通信部を介して受信された第２装置動作情報を、現在の第２装置動作情報として取得するステップと、前記第１装置が行った動作を示す過去の第１装置動作情報と前記第２装置が行った動作を示す過去の第２装置動作情報とを互いに関連付けて記憶する記憶部から、前記過去の第２装置動作情報を取得するステップと、前記記憶部から取得した前記過去の第２装置動作情報と前記通信部を介して取得された前記現在の第２装置動作情報との類似度に基づいて過去の第２装置動作情報を選別するステップと、現在の第１装置動作情報を、前記選別された過去の第２装置動作情報に関連付けて前記記憶部に記憶されている前記過去の第１装置動作情報に基づいて設定することによって、前記第１装置が現在行う動作を設定するステップとを有することを特徴とする。
【手続補正５】
【補正対象書類名】明細書
【補正対象項目名】００１１
【補正方法】変更
【補正の内容】
【００１１】
本発明の他の態様に係る再生装置は、少なくとも１つの第２装置と通信可能に接続された第１装置としての再生装置において、前記第１装置が現在行う動作を示す第１装置動作情報を決定する動作決定部と、前記動作決定部によって決定された前記第１装置動作情報に基づく再生信号を出力する映像音声出力部と、前記第２装置が行う動作を示す第２装置動作情報を受信する通信部と、情報を記憶する記憶部と、前記動作決定部によって決定された前記第１装置動作情報と前記通信部によって受信された前記第２装置動作情報とを互いに関連付けて前記記憶部に記憶させる情報記録部と、前記記憶部に記憶されている前記第１装置動作情報と前記第２装置動作情報とを、過去の第１装置動作情報と過去の第２装置動作情報として取得する情報取得部とを有し、前記動作決定部は、前記通信部を介して受信された前記第２装置動作情報を、現在の第２装置動作情報として取得する処理、前記情報取得部が前記記憶部から取得した前記過去の第２装置動作情報と前記現在の第２装置動作情報との類似度に基づいて過去の第２装置動作情報を選別する処理、及び前記第１装置が現在行う動作を、前記選別された過去の第２装置動作情報に関連付けて前記記憶部に記憶されている前記過去の第１装置動作情報に基づいて決定する処理を行うことを特徴とする。
【国際調査報告】
2015177944.tif 000020
2015177944.tif 000021
2015177944.tif 000022
2015177944.tif 000023